(57)【要約】【課題】圧延中に発生する周期的な金属板の反り（圧延小波）を抑制することができる反り制御方法および圧延機を提供する。【解決手段】一対の上下圧延ロールを用いて金属板のリバース圧延を行う際に、上下圧延ロールに周速度差を与えて金属板の反りを制御する方法であって、予め求められた周期および振幅に基づいて上下圧延ロールの周速度差を設定することにより、金属板の周期的な反りの発生を抑制することを特徴とする金属板の反り制御方法および圧延機。【選択図】図２
2010240654.tif 000002
【特許請求の範囲】
【請求項１】
一対の上下圧延ロールを用いて金属板のリバース圧延を行う際に、上下圧延ロールに周速度差を与えて金属板の反りを制御する方法であって、予め求められた周期および振幅に基づいて上下圧延ロールの周速度差を設定することにより、金属板の周期的な反りの発生を抑制することを特徴とする金属板の反り制御方法。
【請求項２】
反り制御実施前のＮ-１パス（Ｎ≧２）にて測定された上下圧延ロールを駆動する上下モータートルク差の周期および振幅を解析し、該解析結果に基づいて反り制御を実施するＮパスの上下圧延ロール周速度差の周期および振幅を演算し、該演算結果に基づいて上下圧延ロール周速度差を設定することを特徴とする請求項１に記載の金属板の反り制御方法。
【請求項３】
請求項２に記載の金属板の反り制御方法に用いる圧延機であって、反り制御実施前のＮ-１パス（Ｎ≧２）の上下圧延ロールを駆動する上下モータートルク差を測定する測定装置と、該上下モータートルク差の測定結果に基づいて反り制御を実施するＮパスの上下圧延ロール周速度差の周期および振幅を演算する演算装置と、上下圧延ロール周速度の制御を行う制御装置とを有することを特徴とする圧延機。
【発明の詳細な説明】
【技術分野】
【０００１】
本発明は、一対の上下圧延ロールを用いて金属板のリバース圧延を行う際の、金属板の反り制御方法および圧延機に関する。
【背景技術】
【０００２】
例えば厚鋼板の製造プロセスにおいては、一対の上下圧延ロールを用い、鋼板を往復動させて圧延するリバース圧延が行われており、圧延中の金属板の先尾端部に発生する鋼板の反りについては従来から種々の提案がなされている。
【０００３】
例えば、特許文献１（特許第3621915号公報）には、仕上圧延機および仕上圧延機で圧延された圧延板を冷却する冷却装置を有し、該冷却装置の下流側に軽圧下圧延機を有し、該軽圧下圧延機の出側およびまたは入側に該圧延板の垂直方向の位置を拘束する拘束装置を有した厚鋼板圧延設備で、仕上げ圧延を奇数パスにて行いその最終パスで１パス当たり５％以上の圧下率で圧延された圧延板の先端の小波を矯正するに際し、該軽圧下圧延機の少なくとも上下どちらか一方のロールアセンブリが、軸方向に複数分割された分割バックアップロールによってワークロールを支持する機構を有し、該圧延機にて、圧延板の圧延方向を仕上げ圧延機の圧延方向と逆方向に軽圧下圧延して小波を矯正することにより、圧延材を圧延する際の、非定常部（特に先端部）の平坦度（板幅方向および圧延方向）と板厚精度を向上させる圧延方法が記載されている。
【０００４】
このように、従来、特許文献１（特許第3621915号公報）に記載されるような鋼板先尾端部に発生する反りの制御方法については種々の提案がなされているが、圧延中に発生する周期的な金属板の反り（圧延小波）は圧延された金属板全長にうわたるため、先尾端の小波制御だけでは不十分であった。
【先行技術文献】
【特許文献】
【０００５】
【特許文献１】特許第3621915号公報
【発明の開示】
【発明が解決しようとする課題】
【０００６】
本発明は、前述のような従来技術の問題点を解決し、圧延中に発生する周期的な金属板の反り（圧延小波）を抑制することができる反り制御方法および圧延機を提供することを課題とする。
【課題を解決するための手段】
【０００７】
本発明者等は、前述の課題について鋭意検討した結果、予め求められた周期および振幅に基づいて上下圧延ロールの周速度差を設定することにより、圧延中に発生する周期的な金属板の反り（圧延小波）を抑制することができることを見出したものであり、その要旨とするところは特許請求の範囲に記載した通りの下記内容である。
（１）一対の上下圧延ロールを用いて金属板のリバース圧延を行う際に、上下圧延ロールに周速度差を与えて金属板の反りを制御する方法であって、予め求められた周期および振幅に基づいて上下圧延ロールの周速度差を設定することにより、金属板の周期的な反りの発生を抑制することを特徴とする金属板の反り制御方法。
（２）反り制御実施前のＮ-１パス（Ｎ≧２）にて測定された上下圧延ロールを駆動する上下モータートルク差の周期および振幅を解析し、該解析結果に基づいて反り制御を実施するＮパスの上下圧延ロール周速差の周期および振幅を演算し、該演算結果に基づいて上下圧延ロール周速度差を設定することを特徴とする請求項１に記載の金属板の反り制御方法。
（３）（２）に記載の金属板の反り制御方法に用いる圧延機であって、反り制御実施前のＮ-１パス（Ｎ≧２）の上下圧延ロールを駆動する上下モータートルク差を測定する測定装置と、該上下モータートルク差の測定結果に基づいて反り制御を実施するＮパスの上下圧延ロール周速差の周期および振幅を演算する演算装置と、上下圧延ロール周速度の制御を行う制御装置とを有することを特徴とする圧延機。
【０００８】
＜作用＞
（１）の発明によれば、予め求められた周期および振幅に基づいて上下圧延ロールの周速度差を設定することにより、金属板の周期的な反り（圧延小波）を打ち消すことにより反りの発生を抑制することができる。
（２）の発明によれば、反り制御実施前のＮ-１パス（Ｎ≧２）にて測定された上下圧延ロールを駆動する上下モータートルク差の周期および振幅を解析し、該解析結果に基づいて反り制御を実施するＮパスの上下圧延ロール周速度差の周期および振幅を演算し、該演算結果に基づいて上下圧延ロール周速度差を設定することにより、圧延中に発生する周期的な金属板の反り（圧延小波）を抑制することができる。
（３）の発明によれば、（２）の制御方法を実施することができる圧延機を提供することができる。
【発明の効果】
【０００９】
本発明により、予め求められた周期および振幅に基づいて上下圧延ロールの周速度差を設定することにより、圧延中に発生する周期的な金属板の反り（圧延小波）を抑制することができる反り制御方法および圧延機を提供することができ、その結果、オンライン矯正の必要な鋼板枚数を７００枚／月低減できるなど、産業上有用な著しい効果を奏する。
【図面の簡単な説明】
【００１０】
【図１】従来の板圧延方法における小波の発生状況および上下モータートルク差を示す図である。
【図２】本発明の反り制御方法における実施形態を例示する図である。
【図３】本発明の反り制御方法における処理フローを例示する図である。
【発明を実施するための形態】
【００１１】
発明を実施するための形態について、金属板として鋼板を例として、図１〜図３を用いて詳細に説明する。
【００１２】
図１（a）は、従来の板圧延方法における小波の発生状況を示す図である。
【００１３】
図１（a）の横軸は鋼板長（ｍｍ）を示し、縦軸は鋼板表面に発生する波高さ（ｍｍ）を示す。図１（a）に示すように、一対の上下圧延ロールを用いた鋼板が圧延中に周期的に波打つ反り（圧延小波）が発生しており、これまで、その発生メカニズムが明確になっておらず、その抑制方法がなかった。
【００１４】
そこで本発明者等は、圧延による小波発生要因を調査した結果、小波と圧延を駆動する上下モータートルク差の変動周期および振幅との間に相関があることを見出した。
【００１５】
図１（b）は従来の板圧延方法における上下モータートルク差を示す図である。
【００１６】
図１（b）の横軸は鋼板長（ｍｍ）を示し、縦軸は上下圧延ロールを駆動する上下モータートルク差（Ton・ｍ）を示す。
【００１７】
図１（a）に示す小波の周期および振幅と図１（b）の上下モータートルク差の周期および振幅を比較すると高い相関があることがわかる。
【００１８】
圧延中の厚鋼板に発生する小波（ピッチ１ｍ以下の波）が発生する原因は圧延材出側速度の上下差変動によると考えられているが、これまで小波発生を確認する方法としては主に目視やセンサーによる波高さ検出に頼らざるを得ない状況であった。
【００１９】
本発明者等は、一対の上下圧延ロールを用いて金属板（鋼板）の圧延を行う際に、上下モータートルク差から目標とする上下圧延ロール周速度差の周期および振幅を演算し、該演算値により、上下圧延ロールの周速度差制御を行うことにより、鋼板の周期的な反りの発生を抑制することができることを見出した。
【００２０】
すなわち、圧延材出側速度の上下差発生時に圧延ロールから伝わるモータトルクに着目し、前パスにおける圧延中の上下モータートルク差を測定し、これに基づいて当パスの上下圧延ロールの周速度差を設定することによって小波発生を抑制することができ、その結果、オンライン矯正の必要な鋼板枚数を７００枚／月低減できる。
【００２１】
図２は、本発明の反り制御方法における実施形態を例示する図である。
【００２２】
上下モータートルク測定装置により、反り制御実施前のＮ-１パス（Ｎ≧２）の上下圧延ロールを駆動する上下モータートルク差を測定し、プロセスコンピュータ（以下、プロコンという）に組み込まれた上下トルク差演算装置により、該上下モータートルク差の測定結果に基づいて上下モータートルク差の周期および振幅を解析し、該解析結果に基づいて反り制御を実施するＮパスの上下圧延ロール周速度差の周期および振幅を演算し、ミル速度制御装置により上下圧延ロール周速度の制御を行うことによって、金属板の周期的な反り（圧延小波）を打ち消すことにより反りの発生を抑制することができる。
【００２３】
図３は、本発明の反り制御方法における処理フローを例示する図である。
【００２４】
まず、圧延中のモータートルク上下差を測定（６０mmsサンプリング）し、圧延長トラッキングデータと共にプロコンへ上位伝送する（Ｓ−１）。
【００２５】
次に、プロコンにてサンプリングしたモータートルク上下差から圧延材ＴＢ（Top  Bottom：先端および尾端）データは切り捨て（切捨て定数α[mm]）、周波数解析を行い、主要成分の大きさＨ、ピッチＬ、最大トルク上下差△ＴMAX、最小トルク上下差△ＴMIN、トルク上下差平均△ＴAVEを算出する（Ｓ−２）。
【００２６】
周波数解析した主要成分の大きさＨが算出閾値Ａより大きい場合、小波発生と判断し次パス（Ｎパス）制御フローに移行し、周波数解析した主要成分の大きさＨが算出閾値Ａ未満の場合次パス（Ｎパス）制御は行わない（Ｓ−３）。
【００２７】
プロコンにて下記の式（a）,(b)を用いて、異周速切替周期Ｓ 最大異周速率Ｘを算出し、定常部平均速度設定ＶREFと共にミル速度制御装置へ出力する（Ｓ−４）。
【００２８】
ここに、Ｓ=Ｌ/（2・ＶREF）                       ・・・・（a）
Ｘ=β{（△ＴMAX -△ＴMIN）/△ＴAVE }＋γ ・・・・ (b)
（β、γ：定数）
ミル速度制御装置にて下記の式（c）,(d)を用いて、上下ロール速度を演算・設定し上下圧延ロール周速度（Ｖ上、Ｖ下）を圧延中に周期的な変動を与えて、制御パス（Ｎパス）の異周速制御を行う（Ｓ−５）。
【００２９】
ここに、Ｖ上={1+Ｘ・ｆ（ｔ）}・ＶREF    ・・・・（c）
Ｖ下={1+Ｘ・ｇ（ｔ）}・ＶREF  ・・・・（d）
＊ｆ（ｔ）、ｇ（ｔ）は大きさ1、周期Ｓとなる周期関数
なお、上下モータートルクの差異と反りの傾向（上反り、または、下反り）の関係は、圧延ロールの鋼板との接触弧長λ、平均板厚Ｈから決まる形状比（λ／Ｈ）で制御することができ、常時上反り傾向となるような圧延パススケジュールとすることが好ましい。
【図１】
2010240654.tif 000003
【図２】
2010240654.tif 000004
【図３】
2010240654.tif 000005